(57)【特許請求の範囲】
【請求項１】
撮影手段に装備され、被写体に向けてストロボ光を照射し、前記被写体より反射してくる前記ストロボ光を測光し、前記測光により得られる露光量を適正露光量と比較し、当該露光量が前記適正露光量に達したときに前記ストロボ光の発光を停止する構成のストロボ光制御装置を備え、撮影を行う前に前記ストロボ光をプリ発光する手段と、前記プリ発光において被写体で反射されたストロボ光を測光して前記被写体を測色するためのストロボ光測色用測光手段と、前記ストロボ光測色用測光手段で測色した被写体の測色値に基づいて前記適正露光量を決定するためのストロボ制御レベルを調整する制御レベル調整手段と、予め設定された前記ストロボ光の分光特性に基づく光源データを記憶する記憶手段とを備え、前記ストロボ光での撮影においては、前記記憶手段に記憶されている光源データに基づいて前記ストロボ光測色用測光手段の測色値を補正することを特徴とするストロボ光制御装置を備える測光装置。
【請求項２】
撮影手段に装備され、被写体に向けてストロボ光を照射し、前記被写体より反射してくる前記ストロボ光を測光し、前記測光により得られる露光量を適正露光量と比較し、当該露光量が前記適正露光量に達したときに前記ストロボ光の発光を停止する構成のストロボ光制御装置を備え、撮影を行う前に前記ストロボ光をプリ発光する手段と、前記プリ発光において被写体で反射されたストロボ光を測光して前記被写体を測色するための第１の測色用測光手段と、前記第１の測色用測光手段で測色した前記被写体の色に基づいて前記ストロボ光の反射影響補正値を演算する反射影響補正値演算手段と、前記演算された前記反射影響補正値に基づいて、前記適正露光量を決定するためのストロボ制御レベルを調整する制御レベル調整手段と、被写体を測光するための定常光測光手段と、前記定常光測光手段の測光出力に基づいて前記被写体の露出量を演算する露出量演算手段と、定常光で照明された被写体の色を測色するための第２の測色用測光手段と、前記第２の測色用測光手段の出力に基づいて被写体の色を判定し、かつ判定した色に基づいて測色補正量を演算する測色補正量演算手段と、演算された前記測色補正量に基づいて前記露出量演算手段で演算された前記露出量を補正する露出量補正手段と、前記補正された露出量に基づいてストロボ撮影を行うか否かを判定するストロボ撮影判定手段とを備え、前記ストロボ撮影を行う際に前記第１の測色用測光手段での測色に基づいて前記ストロボ制御レベルの調整を行ない、前記ストロボ撮影を行わない際に前記第２の測色用測光手段での測色に基づいて撮影を行うことを特徴とするストロボ光制御装置を備える測光装置。
【請求項３】
被写体を照明する外部光源の分光特性を測光する光源測光手段と、前記光源測光手段の測光出力に基づいて前記第１の測色用測光手段及び前記第２の測色用測光手段により求まる測色補正量の補正を行う測色補正量補正手段とを備えることを特徴とする請求項２に記載のストロボ光制御装置を備える測光装置。
【請求項４】
前記ストロボ光により測色を行う前記第１の測色用測光手段と、前記定常光により被写体の色を測色する前記第２の測色用測光手段は同一の測色用測光手段で兼用することを特徴とする請求項２又は３に記載のストロボ光制御装置を備える測光装置。
【請求項５】
前記第１と第２の少なくとも一方の測色用測光手段は、青色光を測光する青色用測光センサと、緑色光を測光する緑色用測光センサと、赤色光を測光する赤色用測光センサとを含み、各色の測光センサの測光値に基づいて前記被写体の色を測色することを特徴とする請求項２ないし４のいずれかに記載のストロボ光制御装置を備える測光装置。
【請求項６】
前記定常光測光手段は前記緑色用測光センサと兼用され、前記緑色用測光センサの測光出力を前記定常光測光手段の測光出力とすることを特徴とする請求項５に記載のストロボ光制御装置を備える測光装置。
【請求項７】
前記第１と第２の少なくとも一方の測色用測光手段は、測光面が複数の測光エリアに分割されて各測光エリア毎に被写体の色を測色し、前記反射影響補正値演算手段は、前記各測光エリア毎の被写体の測色値から前記反射影響補正値を決定することを特徴とする請求項２ないし６のいずれかに記載のストロボ光制御装置を備える測光装置。
【請求項８】
前記第１と第２の少なくとも一方の測色用測光手段及び前記定常光測光手段は、一眼レフカメラのペンタプリズムの接眼光学系側に配置されており、前記定常光測光手段は前記ペンタプリズムの中央上部に配置されていることを特徴とする請求項２ないし７のいずれかに記載のストロボ光制御装置を備える測光装置。
【請求項９】
前記ストロボ光制御装置は、ストロボ光を発光する発光回路と、被写体で反射した前記ストロボ光を測光し、その測光から得られる電圧が前記適正露光量に対応して設定されたＴＴＬ基準電圧に達したときに前記発光回路での発光を停止するＴＴＬ積分回路とを備えており、前記ストロボ制御レベルは、前記ＴＴＬ基準電圧を設定するための制御レベルであることを特徴とする請求項２ないし８のいずれかに記載のストロボ光制御装置を備える測光装置。
【請求項１０】
前記ＴＴＬ積分回路は、前記測光した測光量に対応した電荷をコンデンサに蓄積し、蓄積した電荷に対応する電圧を充電電圧として出力する充電回路と、前記ストロボ制御レベルの値に基づいて前記ＴＴＬ基準電圧を生成するＤ／Ａ変換回路と、前記充電電圧と前記ＴＴＬ基準電圧を比較し、充電電圧が前記ＴＴＬ基準電圧を超えたときに前記発光回路の発光を停止するクエンチ信号を出力する比較回路とを備えることを特徴とする請求項９に記載のストロボ光制御装置を備える測光装置。
【請求項１１】
前記充電回路は、前記基準電圧に対する差電圧として前記充電電圧を出力し、前記Ｄ／Ａ変換回路は前記ストロボ制御レベルに基づいて前記基準電圧に対する差電圧として前記ＴＴＬ基準電圧を生成することを特徴とする請求項１０に記載のストロボ光制御装置を備える測光装置。
【請求項１２】
前記充電回路は、前記充電電圧を分圧する分圧回路を備えており、前記充電電圧または前記分圧回路で分圧した電圧のいずれかを選択し、その選択した電圧を前記充電電圧として前記比較回路に出力することを特徴とする請求項１０または１１に記載のストロボ光制御装置を備える測光装置。
【発明の詳細な説明】
【０００１】
【発明の属する技術分野】
本発明は被写体より反射されるストロボ光を測光して当該ストロボ光の発光を制御するストロボ光制御装置に関し、特に被写体の反射率の相違によるストロボ撮影での露出誤差を解消してカメラでの適正露出を得ることを可能にしたストロボ光制御装置を備える測光装置に関する。
【０００２】
【従来の技術】
近年のカメラに備えられているストロボ装置として、被写体より反射されるストロボ光を測光し、その測光から得られる露出量が適正露出量に達したときにストロボの発光を停止することで、適正露出の撮影を可能にした、いわゆるオートストロボ装置が提供されている。このようなオートストロボ装置では、適正露出量を設定する際に、被写体の光反射率を一定の値、例えば１８％と仮定して前記適正露出量を設定することが行われている。このため、光反射率が１８％よりも高い白っぽい被写体は、反射されるストロボ光の測光値が大きくなり、これに応じてストロボの発光を短時間で停止させてしまうために結果として露出がアンダーになる。逆に、光反射率が１８％よりも低い黒っぽい被写体は、反射されるストロボ光の測光値が小さくなり、これに応じてストロボの発光の停止が遅れて露出がオーバになる。また、前記した被写体における光反射率の違いは、前記したような白っぽい場合或いは黒っぽい場合に限られるものではなく、被写体の色の相違によっても生じている。例えば、被写体の色が黄色の場合には、光反射率が７０％にも達するため、標準露出を前記したように１８％の被写体反射率におけると仮定すると、約２Ｅｖの露出アンダーとなる。逆に、被写体の色が青色の場合には光反射率が９％程度であるため、約１Ｅｖの露出オーバとなる。
【０００３】
このため、従来のストロボ光制御装置を備えるカメラでは、撮影者が被写体の光反射率を推測し、被写体が白っぽい場合、あるいは黄色のように光反射率が高い場合にはオーバ目に、また逆に被写体が黒っぽい場合、あるいは青色のように光反射率が低い場合にはアンダー目となるようにストロボ光の露光量の設定を行うことを可能にした露出補正装置を備えることが行われている。このような露出補正を行うことにより、前記した問題を解消することは可能ではあるが、このような被写体での光反射率を推測して露出補正を行うためにはある程度の経験や熟練を必要とし、全ての撮影者がこのような露出補正を行うことは実際には不可能であり、しかも露出補正に際して撮影者の手操作が必要とされることは、近年における自動撮影を可能にしたオートストロボ装置として好ましいものではない。
【０００４】
このような問題を解消するために、本願出願人は先にストロボ光制御装置として、被写体の色を測色し、その測色結果から被写体の反射率を演算し、オートストロボ装置でのストロボ光制御を行う構成のものを提案している。このストロボ光制御装置では、前記したような被写体の反射率を高い精度で計測することが可能になり、ストロボ撮影での適正露出を得る上で有利なものとなっている。
【０００５】
【発明が解決しようとする課題】
しかしながら、先に提案しているものは、太陽光等の外光により被写体を測色しているため、ストロボ光と太陽光等の外光の演色性との違いによって、当該測色結果が必ずしもストロボ光に対して適正なものとは言えず、実際にストロボ撮影を行った際に適正露出を得ることが難しい場合が生じている。同様に、演色性が異なるストロボ光の各ストロボ装置を用いてストロボ撮影を行う場合に、各ストロボ撮影のそれぞれにおいて適正露出を得ることが難しいものとなっている。
【０００６】
本発明の目的は、被写体の光反射率の相違にかかわらずストロボ撮影での適正露出を可能としたストロボ光制御装置を備える測光装置を提供するものである。
【０００７】
【課題を解決するための手段】
本発明は、  撮影手段に装備され、被写体に向けてストロボ光を照射し、被写体より反射してくるストロボ光を測光し、測光により得られる露光量を適正露光量と比較し、当該露光量が適正露光量に達したときにストロボ光の発光を停止する構成のストロボ光制御装置を備え、撮影を行う前にストロボ光をプリ発光する手段と、プリ発光において被写体で反射されたストロボ光を測光して被写体を測色するためのストロボ光測色用測光手段と、ストロボ光測色用測光手段で測色した被写体の測色値に基づいて適正露光量を決定するためのストロボ制御レベルを調整する制御レベル調整手段と、予め設定されたストロボ光の分光特性に基づく光源データを記憶する記憶手段とを備え、ストロボ光での撮影においては、記憶手段に記憶されている光源データに基づいてストロボ光測色用測光手段の測色値を補正することを特徴とする。
【０００８】
また、本発明は、撮影手段に装備され、被写体に向けてストロボ光を照射し、前記被写体より反射してくる前記ストロボ光を測光し、前記測光により得られる露光量を適正露光量と比較し、当該露光量が前記適正露光量に達したときに前記ストロボ光の発光を停止する構成のストロボ光制御装置を備え、撮影を行う前に前記ストロボ光をプリ発光する手段と、前記プリ発光において被写体で反射されたストロボ光を測光して前記被写体を測色するための第１の測色用測光手段と、前記第１の測色用測光手段で測色した前記被写体の色に基づいて前記ストロボ光の反射影響補正値を演算する反射影響補正値演算手段と、前記演算された前記反射影響補正値に基づいて、前記適正露光量を決定するためのストロボ制御レベルを調整する制御レベル調整手段と、被写体を測光するための定常光測光手段と、前記定常光測光手段の測光出力に基づいて前記被写体の露出量を演算する露出量演算手段と、定常光で照明された被写体の色を測色するための第２の測色用測光手段と、前記第２の測色用測光手段の出力に基づいて被写体の色を判定し、かつ判定した色に基づいて測色補正量を演算する測色補正量演算手段と、演算された前記測色補正量に基づいて前記露出量演算手段で演算された前記露出量を補正する露出量補正手段と、前記補正された露出量に基づいてストロボ撮影を行うか否かを判定するストロボ撮影判定手段とを備え、前記ストロボ撮影を行う際に前記第１の測色用測光手段での測色に基づいて前記ストロボ制御レベルの調整を行ない、前記ストロボ撮影を行わない際に前記第２の測色用測光手段での測色に基づいて撮影を行うことを特徴とする。この場合、被写体を照明している外部光源の分光感度特性を測光する光源測光手段と、この光源測光手段の出力に基づいて光源色補正量を演算し、かつ演算された光源色補正量に基づいて前記測色補正量の補正を行う測色補正量補正手段とを備えることが好ましい。また、この場合、前記ストロボ光により測色を行う第１の測色用測光手段と、前記被写体の色を測色する前記第２の測色用測光手段は同一の測色用測光手段で兼用することが好ましい。
【０００９】
また、本発明のストロボ光制御装置は、ストロボ光を発光する発光回路と、被写体で反射した前記ストロボ光を測光し、その測光から得られる電圧が前記適正露光量に対応して設定されたＴＴＬ基準電圧に達したときに前記発光回路での発光を停止するＴＴＬ積分回路とを備えており、前記ストロボ制御レベルは、前記ＴＴＬ基準電圧を設定するための制御レベルであることを特徴としている。ここで、前記ＴＴＬ積分回路は、前記受光量に対応した電荷をコンデンサに蓄積し、蓄積した電荷に対応する電圧を充電電圧として出力する充電回路と、前記ストロボ制御レベルの値に基づいて前記ＴＴＬ基準電圧を生成するＤ／Ａ変換回路と、前記充電電圧と前記ＴＴＬ基準電圧を比較し、充電電圧が前記ＴＴＬ基準電圧を超えたときに前記発光回路の発光を停止するクエンチ信号を出力する比較回路とを備える構成とすることが好ましい。
【００１０】
さらに、前記充電回路は、前記基準電圧に対する差電圧として前記充電電圧を出力し、前記Ｄ／Ａ変換回路は前記ストロボ制御レベルに基づいて前記基準電圧に対する差電圧として前記ＴＴＬ基準電圧を生成する。例えば、前記充電回路は、前記充電電圧を分圧する分圧回路を備えており、前記充電電圧または前記分圧回路で分圧した電圧のいずれかを選択し、選択した電圧を前記充電電圧として前記比較回路に出力する構成とする。
【００１１】
本発明によれば、被写体からの反射ストロボ光を測光し、測光した露光量が適正露光量に達したときに発光を停止するオートストロボにおいて、予め設定されたストロボ光の分光特性の光源データを記憶する記憶手段を備え、ストロボ光での撮影においては、記憶手段に記憶されている光源データに基づいてストロボ光測色用測光手段の測色値を補正し、この補正された測色値に基づいて露出レベルの補正を行うことで適正な撮影が実現できる。これにより、被写体の色の違い、換言すれば被写体の反射率の違いにかかわらず、適正露出での定常光撮影およびストロボ撮影が可能となり、従来において特に顕著な問題となっていた異なる色間の反射率の違いによる露出誤差を解消することが可能になる。また、本発明によれば、実際にストロボ撮影を行うストロボ光について最適な露光量を得るための光源データを予め設定しておくことで、光源の分光特性を測光するための光源測光手段が不要になる。また、測色に用いる光とストロボ光との演色性の違いによる露出誤差が生じることがなく、また、演色性の異なる複数のストロボを使用する場合においても、各ストロボにおいてストロボ制御レベルを適正な値に調整でき、適正露出でのストロボ撮影が実現できる。
【００１２】
【発明の実施の形態】
次に、本発明の実施形態を図面を参照して説明する。図１は本発明をレンズ交換式一眼レフカメラに備えたオートストロボ装置に適用した実施形態の模式的な斜視図、図２はその要部の側面構成図であり、撮影レンズ２が着脱されるカメラボディ１内には、クイックリターンミラー３、ピントグラス４、ペンタプリズム（又はペンタミラー）５、及び接眼光学系６が内装されている。また、前記カメラボディ１の前面の一部にはオートストロボ２８が配設されている。前記クイックリターンミラー３の一部はハーフミラー部３ａとして構成され、撮影レンズ２で結像される被写体光の一部を前記ハーフミラー部３ａを透過し、かつ補助反射ミラー７で反射して測距装置８に導いている。ここでは、前記測距装置８は被写体の複数箇所について測距を行った測距データに基づいてＡＦ（自動焦点）制御を行うマルチ測距装置８として構成される。また、前記ペンタプリズム５には、後述するように、前記接眼光学系６側の面の４箇所に合計４個の測光素子として機能する測光センサ９が配設されており、それぞれ前記撮影レンズ２により結像される被写体光の一部を測光するように構成される。
【００１３】
また、カメラボディ１の正面の一部には窓１ａが開口されており、前記窓１ａの内側に１つの測光素子である光源測光用センサ１２と、その前面に乳白色の拡散板１３が配設されており、カメラボディ１の外部の光源、すなわち被写体を照明している外部光源を受光し、かつ測光するように構成される。さらに、前記撮影レンズ２とカメラボディ１とは電気接点部１０を介して相互に電気接続されており、前記撮影レンズ２に内蔵されているレンズＲＯＭ１１は、前記カメラボディ１に内蔵されているＣＰＵで構成される制御回路２０に電気接続されている。前記カメラボディ１の外面にはＬＣＤ（液晶）表示器２１、レリーズボタン２２、測光モード切替スイッチ２９等を含む各種操作ボタンが設けられる。なお、カメラボディ１内に設けられているフィルムの巻上げ機構を始めとする他のカメラ機構については、ここでは説明を省略する。また、前記カメラボディ１内には、前記オートストロボ２８の発光を制御するための後述する測光素子が内蔵されているが、ここでは図示は省略している。
【００１４】
前記測光センサ９は、図３（ａ）にカメラ背面側から見た図を示すように、前記ペンタプリズム５の接眼光学系側の上部中央に配置された２個の測光センサ９Ｄ，９Ｇと、下側の左右端にそれぞれ１個ずつ配置された２個の測光センサ９Ｂ，９Ｒとで構成されている。前記各測光センサ９Ｄ，９Ｇ，９Ｂ，９ＲはＦＰＣ（フレキシブルプリント回路基板）９１に搭載されて前記各位置に固定支持されており、かつ各測光センサの前面に配置された集光レンズ９２によってそれぞれ被写体像を各測光センサ９Ｄ，９Ｇ，９Ｂ，９Ｒの測光用の測光面に結像するように構成されている。また、前記各測光センサ９Ｄ，９Ｇ，９Ｂ，９Ｒは、それぞれ図４（ａ）のように、被写体画面を複数の領域、ここでは中心領域Ａ０、その左右領域Ａ１，Ａ２、並びに上下領域Ａ３，Ａ４、さらに四周囲領域Ａ５の６つの測光エリアに区画し、測光面が前記各測光エリアＡ０〜Ａ５に対応して分離形成されてアンプＡＭＰと一体に形成されたプレーナ構造の測光ＩＣチップとして形成されている。そして、図４（ｂ）に示すように、各測光エリアＡ０〜Ａ５に結像した被写体からの反射光量を測光するように構成される。前記測光センサ９Ｇは測光面に緑色のフィルタが配設されて緑色光を主体に受光するＧ用の測光センサとして、他の１つの測光センサ９Ｂは測光面に青色のフィルタが配設されて青色光を主体に受光するＢ用の測光センサとして、さらに他の１つの測光センサ９Ｒには赤色のフィルタが配設されて赤色を主体に受光するＲ用の測光センサとしてそれぞれ構成されている。ここで前記３つのＧ用、Ｂ用、Ｒ用の各測光センサ９Ｇ，９Ｂ，９Ｒは測色素子として構成されており、各測光センサ９Ｇ，９Ｂ，９Ｒに配設されている緑色、青色、赤色のフィルタの分光透過率特性は、ここでは図５に示す特性のものが用いられており、それぞれ、ほぼ５４０ｎｍ、４２０ｎｍ、６２０ｎｍに透過率ピークを有している。なお、残りの１つの測光センサ９Ｄには色フィルタは配設されていないが、視感度補正フィルタによりその分光受光特性は、図５のように５００〜６００ｎｍの範囲に感度ピークを有する視感度分布特性に近い特性に設定され、定常光を測光する定常光測光素子としての定常光用測光センサとして構成されている。
【００１５】
また、前記光源測光用センサ１２も同様であり、図示は省略するが、前記測光センサ９（９Ｄ，９Ｇ，９Ｂ，９Ｒ）と同じ測光ＩＣチップで構成されている。そして、この光源測光用センサ１２では、測光エリアＡ０〜Ａ５のうち、測光エリアＡ０，Ａ１，Ａ２のみを利用しており、測光エリアＡ０の前面には緑色のフィルタを配設して緑色部を構成し、測光エリアＡ１の前面には青色のフィルタを配設して青色部を構成し、測光エリアＡ２の前面には赤色のフィルタを配設して赤色部を構成している。ここで、前記緑色フィルタ、青色フィルタ、赤色フィルタは前記各測光センサ９Ｇ，９Ｂ，９Ｒに配設している各フィルタと同一の分光透過率特性のものが用いられている。したがって、光源測光用センサ１２は、各測光エリアＡ０，Ａ１，Ａ２のそれぞれにおいて、被写体を照明している外部光源をそれぞれ、緑、青、赤の三原色に分解して受光するように構成されている。ここで、それぞれのセンサを同じ測光ＩＣチップで構成していることは、分光感度、出力特性等を揃える意味と、共通化によるコストダウンの目的がある。また、それぞれのフィルタについて同一のものを用いるのは、特に分光感度特性を揃えることが目的である。
【００１６】
図６は前記カメラの主要部の回路構成を示すブロック回路図である。前記４つの測光センサ９Ｄ，９Ｇ，９Ｂ，９Ｒは制御回路２０に対して、定常光とＧＢＲの各色光を測光した測光値を出力する。また、前記光源測光用センサ１２からは外部光源を測光してＧ，Ｂ，Ｒの各分光した測光値を出力する。また、前記マルチ測距装置８の出力を測距値として前記制御回路２０に出力し、ＡＦ装置２５による自動焦点制御を実行させる。一方、前記制御装置２０には、前記レリーズボタン２２の半押し、全押しに追従して順序的にオン動作される測光スイッチＳＷＳ、及びシャッタレリーズスイッチＳＷＲからのスイッチ情報信号が入力され、レリーズボタン２２の半押しによってオンする測光スイッチＳＷＳからのスイッチ情報信号が入力されたときに、測光モード切替スイッチ２９により選択される所要のアルゴリズムでの測光演算を行い、この演算に基づいて露出値を算出する。そして、この算出した露出値に基づいて露出制御装置２３を制御し、撮影を実行する。また、算出した露出値は、表示ドライバ２４を駆動して前記ＬＣＤ表示器２１に表示する。なお、前記制御回路２０内には、後述する測光演算に必要とされる各種の値を予め記憶しているＥＥＰＲＯＭ（電気的に書き換え可能なＲＯＭ）２６と、一時的に各種データを記憶するＲＡＭ２７が内蔵されている。
【００１７】
また、前記制御回路２０には、前記オートストロボ２８が接続されている。前記オートストロボ２８の回路の一例を図７に示す。オートストロボ回路は、ＴＴＬ積分回路１００と、発光回路２００とで構成されており、シャッタ動作と同期して発光回路２００でのストロボ発光を開始すると同時に、ＴＴＬ積分回路１００では被写体から反射されるストロボ光を検出し、所定の露光量に相当する光量を検出したときに発光回路２００にクエンチ信号ＳＴを出力して発光回路２００の発光を停止して所要の露光量を制御する構成とされている。ここで、前記ＴＴＬ積分回路１００及び発光回路２００は一般的に用いられている回路構成であるので詳細な説明は省略するが、本発明との関係が深いＴＴＬ積分回路１００について説明する。
【００１８】
前記ＴＴＬ積分回路１００は、シャッタレリーズ時に被写体で反射されるストロボ光を受光する測光素子ＰＤｘと、この測光素子ＰＤｘで測光して得られる電荷をコンデンサＣｘに蓄積し、かつ基準電圧Ｖｓに対応する充電電圧として出力するための回路として、アンプＡｍｐ、抵抗Ｒ１，Ｒ２、第１スイッチＳＷ１、及び第２スイッチＳＷ２で構成される充電回路１０１と、外部から入力されるストロボ制御レベルＳＸＶＤの値に基づいて基準電圧Ｖｓに対する差電圧をＴＴＬ基準電圧Ｖｔｔｌとして出力するＤ／Ａ変換回路１０２と、前記充電回路１０１の前記充電電圧をＴＴＬ基準電圧Ｖｔｔｌと比較し、充電電圧がＴＴＬ基準電圧Ｖｔｔｌに達したときに前記発光回路２００に対して前記クエンチ信号ＳＴを出力する比較回路１０３とで構成されている。
【００１９】
ここで、前記第１スイッチＳＷ１はシャッタレリーズ前はオン状態にあり、シャッタレリーズと同時にオフされるスイッチである。また、前記第２スイッチＳＷ２はＴＴＬ積分回路１００のゲインを切り替えるためのスイッチであり、例えば、カメラに使用するフィルム感度等に基づいて、高感度のフィルムの場合にオフするように構成されている。また、前記Ｄ／Ａ変換回路は、例えば、基準電圧Ｖｓを複数の抵抗によって抵抗分割し、前記ストロボ制御レベルＳＸＶＤにより決定されるＤ／Ａステップ値（デジタル値）に基づいて分割した電圧のひとつを選択することで、当該ストロボ制御レベルＳＸＶＤに対応したＴＴＬ基準電圧Ｖｔｔｌを生成し、かつ出力するものである。
【００２０】
このような構成のストロボ回路では、シャッタレリーズによりシャッタが開くと同時に発光回路２００の発光が開始され、発光されたストロボ光により被写体が照明されてフィルムへの露光が開始される。また、これと同時にＴＴＬ積分回路１００の第１スイッチＳＷ１がオフされる。したがって、被写体からの反射光を測光素子ＰＤｘで測光すると、充電回路１０１では測光素子ＰＤｘで測光した光量に対応する電荷がコンデンサＣｘに蓄積され始める。このとき、コンデンサＣｘの電荷量Ｑは、コンデンサの容量をＣ、測光素子ＰＤｘから出力される電流をｉｐ、蓄積時間をＴとすると、
Ｑ＝Ｃ×Ｖ＝ｉｐ×Ｔ  …（１）
ここで、ＶはコンデンサＣｘの両端の電圧である。したがって、電圧Ｖは、
Ｖ＝（ｉｐ×Ｔ）÷Ｃ  …（２）
となる。
【００２１】
これにより、基準電圧Ｖｓに対して、Ａ点の電圧Ｖａは、
Ｖａ＝Ｖｓ−Ｖ＝Ｖｓ−（ｉｐ×Ｔ）÷Ｃ  …（３）
となる。また、Ｂ点の電圧Ｖｂは、第２スイッチＳＷ２のオン、オフによって切り替えられる。第２スイッチＳＷ２がオンであれば、Ｖｂ＝Ｖａであるが、オフの場合は、抵抗Ｒ１とＲ２の各抵抗値ｒ，３ｒの抵抗分割比により、
Ｖｂ＝Ｖｓ−４×Ｖ＝Ｖｓ−４×〔（ｉｐ×Ｔ）÷Ｃ〕  …（５）
となる。これは、Ａ点の電圧の４倍となる。そして、前記Ｂ点の電圧Ｖｂが前記比較回路１０３の負入力端に入力される。
【００２２】
一方、Ｄ／Ａ変換回路１０２において、第２スイッチＳＷ２のオン、オフ状態を参照してストロボ制御レベルＳＸＶＤにより決定されるＤ／Ａステップ値により基準電圧Ｖｓが抵抗分割されてＴＴＬ基準電圧Ｖｔｔｌが生成され、比較回路１０３の正入力端に入力される。換言すれば、ストロボ制御レベルＳＸＶＤに対応するデジタル値であるＤ／Ａステップ値がＤ／Ａ変換されてＴＴＬ基準電圧Ｖｔｔｌが出力されることになる。これにより、電圧ＶｂがＴＴＬ基準電圧Ｖｔｔｌよりも大きくなったときに、比較回路１０３の出力が反転され、クエンチ信号ＳＴが出力される。発光回路２００は、このクエンチ信号ＳＴにより発光が停止されるため、結果として測光素子ＰＤｘが所定の光量を受光した時点でストロボ光によるフィルムへの露光が停止され、いわゆるオートストロボ動作が行われることになる。
【００２３】
ここで、図８は前記したオートストロボ動作を説明するためのタイミング図であり、縦軸が比較回路１０３の負入力端の電圧（Ｂ点の電圧Ｖｂ）、横軸が前記時間Ｔを示している。前記電圧Ｖｂは、測光素子ＰＤｘの測光の開始と共に基準電圧Ｖｓに対する差電圧である電圧Ｖｂが徐々に増大される。そして、電圧ＶｂがＴＴＬ基準電圧Ｖｔｔｌに達したときにクエンチ信号ＳＴが出力される。このとき、第２スイッチＳＷ２がオフの場合の特性は、オンの場合に比較して４倍の傾きとなり、結果としてクエンチ信号ＳＴを出力する際のＴＴＬ積分回路１００のゲインが調整されることになる。これにより、例えば、高感度フィルムの場合に、第２スイッチＳＷ２をオフすることにより、低感度フィルムの場合よりも短時間で発光が停止されることが判る。
【００２４】
さらに、前記Ｄ／Ａ変換回路１０２では、前記したようにストロボ制御レベル信号ＳＸＶＤにより決まるＤ／Ａステップ値を実質的にＤ／Ａ変換することで、ＴＴＬ基準電圧Ｖｔｔｌを変化することができる。すなわち、図８においてＴＴＬ基準電圧Ｖｔｔｌを縦軸方向に変化させることが可能になる。これにより、クエンチ信号ＳＴの出力タイミングを制御し、発光回路２００での発光停止のタイミングを制御してストロボ光による実質的な露光量を制御することが可能になる。なお、図９に示すように、フィルム感度の違いに対応してストロボ制御レベルＳＸＶＤを設定することで、このストロボ制御レベルＳＸＶＤに対応してＤ／Ａ変換回路１０２内のＤ／Ａステップ値が決定され、前記したようにＴＴＬ基準電圧Ｖｔｔｌが設定される。したがって、当該フィルム感度の違いに対応してストロボ光による露光制御を行うことが可能になる。そして、このストロボ制御レベルＳＸＶＤによる制御と、前記第２スイッチＳＷ２のオン、オフ制御によるゲイン制御とを組み合わせることで、図９に示すように、広い範囲のフィルム感度に対応した露光制御が実現されることになる。したがって、このストロボ制御レベルＳＸＶＤによるストロボ光の制御を利用することで、本願発明では、前記ストロボ制御レベルＳＸＶＤの値を、被写体の反射率に対応して変化させ、これにより被写体の反射率が相違する場合においても適正なストロボ光による撮影を実現することが可能になる。
【００２５】
以下に本発明の前記ストロボ光制御装置、並びにこれを含む測光装置の動作を説明する。なお、本発明では、前記光源測光用センサ１２の測光出力を利用しない場合と、利用する場合とでフローの一部が相違しており、それぞれの場合のフローの一覧を図１０に示す。すなわち、両者においては、フローＦ３−ＡとＦ３−Ｂ、Ｆ６−ＡとＦ６−Ｂ、Ｆ２１−ＡとＦ２２−Ｂが異なっている。その他のフローについては、いずれも同じである。なお、これらフローはストロボ光制御装置を備える測光装置、ないしカメラを設計する際に、いずれか一方のフローに固定的に設定し、あるいは図外の切替装置によって切替設定可能に構成する。この場合、最初から光源測光用センサ１２を使用しないストロボ光制御装置を備える測光装置を設計する場合には、図１及び図２等に示した構造に示されている光源測光用センサ１２を省略した構成として設計することになる。
【００２６】
図１１はストロボ光制御動作を備える測光装置を含む図１のカメラの撮影動作を示すゼネラルフローチャートであり、先ず、このゼネラルフローチャートＦ１を用いて動作の全体の流れを説明する。ステップＳ１１においてレリーズボタン２２の半押しによりオンされる測光スイッチＳＷＳのオンを確認すると、レンズ通信処理Ｓ１２を実行し、制御回路２０はカメラボディ１に装着されている撮影レンズ２の固有情報を取り込む。この固有情報は撮影レンズ２の開放絞り、射出瞳位置やレンズ焦点距離等のように、撮影レンズ２の種類に応じて測光演算に影響を与える固有の情報として、撮影レンズ２に内蔵のレンズＲＯＭ１１から電気接点部１０を介して入力される。次いで、測光センサ出力Ｂｖｄ演算処理Ｓ１３を実行する。この測光センサ出力Ｂｖｄ演算処理Ｓ１３では、撮影レンズ２及びカメラボディ１内のクイックリターンミラー３、ペンタプリズム５を通して前記各測光センサ９で受光して得られるアナログデータの測光値を、制御回路２０での演算に用いることが可能なデジタルデータの測光値Ｂｖｄに変換演算する。このとき、測光は前記各測光エリアＡ０〜Ａ５毎に行ない、結果として測光値Ｂｖｄ〔ｉ〕を得る。ここで〔ｉ〕は、前記測光エリアＡ０〜Ａ５に対応した０〜５の値であり、以下同様である。次いで、前記測光センサ出力Ｂｖｄ演算処理Ｓ１３で得られた測光値Ｂｖｄ〔ｉ〕と、レンズ通信処理Ｓ１２で取り込んだ前記撮影レンズ２の固有情報とを用いて開放測光補正演算処理Ｓ１４を実行し、撮影レンズの違いによる測光誤差を無くす。
【００２７】
次いで、前記測光センサ出力Ｂｖｄ演算処理Ｓ１３で得られ、開放測光補正演算されたＧＢＲ用の各測光センサ９Ｇ，９Ｂ，９Ｒの測光値Ｂｖｄ〔ｉ〕に基づいて測色処理Ｓ１５を行い、前記測光エリアＡ０〜Ａ５のそれぞれのエリア毎に被写体の色を測色する。そして、測色された各測光エリアＡ０〜Ａ５毎に、測色した色に基づく測色補正値ＣＣ〔ｉ〕を算出する測色補正値演算処理Ｓ１６を行う。さらに、露出値演算処理Ｓ１７では、得られた測色補正値ＣＣ〔ｉ〕を前記測光値Ｂｖｄ〔ｉ〕に加算し、前記各測光エリアＡ０〜Ａ５のそれぞれについて、前記得られた測光値Ｂｖｄ〔ｉ〕に基づき露出値Ｌｖｄを算出する。なお、この露出値演算処理Ｓ１７では、得られている露出値Ｂｖｄ〔ｉ〕に基づいて、測光モード切替スイッチ２９で設定された測光モードでの演算処理を行い、前記Ｂｖｄ〔ｉ〕から露出値Ｌｖｄを演算することが可能とされている。
【００２８】
次いで、Ｔｖｄ，Ａｖｄ演算処理Ｓ１８において、演算した露出値Ｌｖｄからシャッター速度Ｔｖｄと絞り値Ａｖｄを演算する。例えば、シャッター速度優先のプログラム特性に基づいてＴｖｄ，Ａｖｄを演算して決定する。ここでは、決定したＴｖｄとＡｖｄの値に基づいてストロボ発光が必要が否かを判定し、ストロボ発光が必要と判定されたときには、ストロボ発光フラグを「１」とする。しかる後、レリーズスイッチＳＷＲのオンを確認すると（Ｓ１９）、ストロボ発光フラグを判断し（Ｓ２１）、ストロボ発光フラグが「０」の場合には、ステップＳ１７で得られた露出値Ｌｖｄに基づいて露出制御装置２３が露出制御を行い（Ｓ３０）、ストロボ撮影ではない撮影を実行する。なお、レリーズスイッチＳＷＲがオンされないときには、測光タイマのＯＦＦを検出し（Ｓ２０）、測光タイマにより所定時間が経過するまでは前記ステップＳ１２以降のフローを繰り返し、所定時間が経過したときには、ステップＳ１１に戻る。
【００２９】
一方、ステップＳ２１において、ストロボ発光フラグが「１」の場合には、ストロボプリ発光処理Ｓ２２を行う。そして、プリ発光されたストロボ光が被写体で反射された光を測色センサ、すなわち前記したＧＢＲ用の各測光センサ９Ｇ，９Ｂ，９Ｒで測光し、測色センサ出力演算処理Ｓ２３を行い、測光値Ｂｖｄ〔ｉ〕を得る。次いで、その測光値Ｂｖｄ〔ｉ〕と、前記レンズ通信処理Ｓ１２で取り込んだ前記撮影レンズ２の固有情報とを用いて測色センサ開放測光補正演算処理Ｓ２４を実行し、撮影レンズ２の違いによる測光誤差を無くす。続いて、ストロボプリ発光測色処理Ｓ２５を行い、前記各測光エリアについて被写体の色を測色する。そして、測色された色に基づいて反射影響補正値演算処理Ｓ２６を行い、反射影響補正値ＲＣＣ〔ｉ〕を求め、さらに、得られた反射影響補正値ＲＣＣ〔ｉ〕から、被写体全体としての反射影響補正値ＲＣＣを演算するＲＣＣ演算処理Ｓ２７を実行する。さらに、制御レベル調整処理Ｓ２８では、前記演算された反射影響補正値ＲＣＣに基づいて前記オートストロボ２８の前記ＴＴＬ基準電圧Ｖｔｔｌの電圧を設定するためのストロボ制御レベルＳＸＶＤの値を調整する。この調整は、
ＳＸＶＤ←ＳＸＶＤ＋ＣＣ
で行う。しかる後、ストロボ発光露出制御処理Ｓ２９において、前記調整された制御レベルに基づいて前記オートストロボ２８のストロボ光の露出制御を行い、カメラでのストロボ撮影を実行する。
【００３０】
以下、前記ゼネラルフローチャートＦ１の各処理を個々に説明する。先ず、レンズ通信処理Ｓ１２のフローチャートＦ２を図１２に示す。レンズ通信処理Ｓ１２では、測光スイッチＳＷＳのオンを制御回路２０が検出すると、電気接点部１０を介して撮影レンズ２のレンズＲＯＭ１１に対してアクセスし、当該レンズＲＯＭ１１に記憶されている撮影レンズ２の固有情報を読み出し（Ｓ１０１）、制御回路２０のＲＡＭ２７に格納する。ここで、撮影レンズの固有情報としては、「レンズ種類」，「レンズデータ」，「最短撮影距離」，「撮影距離」，「レンズ焦点距離」，「射出瞳位置」，「開放Ｆナンバー」，「開口効率」等のデータがレンズＲＯＭに記憶されており、この実施形態では前記制御回路２０はこれらの情報のうち、少なくとも「レンズ焦点距離」，「射出瞳位置」，「開放絞り」，「開口効率」を読み出してＲＡＭ２７に記憶する。
【００３１】
次いで、前記測光センサ出力Ｂｖｄ演算処理Ｓ１３では、前記したように光源測光用センサ１２を使用しない場合と、使用する場合とでフローが相違する。前者の光源測光用センサ１２を使用しない場合のフローチャートＦ３−Ａを図１３に示す。この測光センサ出力Ｂｖｄ演算処理Ｓ１３では、先ず、前記４個の測光センサ９Ｄ，９Ｇ，９Ｂ，９Ｒのうち、定常光測光素子としての定常光用測光センサ９Ｄにおける図４に示した各測光エリアＡｉ（ｉ＝０〜５）のそれぞれの出力電圧値（アナログデータ）をＡ／Ｄ変換した値Ｂｖａｄ〔ｉ〕として得るとともに、測色素子としての、他の３個のＧ，Ｂ，Ｒ用の各測光センサ９Ｇ，９Ｂ，９Ｒの各測光エリアＡｉ（ｉ＝０〜５）のそれぞれの出力電圧値（アナログデータ）をそれぞれＡ／Ｄ変換したＢｖａｄ・ｇ〔ｉ〕、Ｂｖａｄ・ｂ〔ｉ〕、Ｂｖａｄ・ｒ〔ｉ〕を得る。しかる上で、前記定常光用測光センサ９ＤのＡ／Ｄ変換値Ｂｖａｄ〔ｉ〕を輝度に応じた測光値Ｂｖｄ（ｉ）に調整する（Ｓ１１１）。また、他の３個のＧ，Ｂ，Ｒ用の各測光センサ９Ｇ，９Ｂ，９ＲのＡ／Ｄ変換値Ｂｖａｄ・ｇ〔ｉ〕、Ｂｖａｄ・ｂ〔ｉ〕、Ｂｖａｄ・ｒ〔ｉ〕もそれぞれ輝度に応じた測光値Ｂｖｄ・ｇ〔ｉ〕、Ｂｖｄ・ｂ〔ｉ〕、Ｂｖｄ・ｒ〔ｉ〕に調整する（Ｓ１１２）。なお、前記ステップＳ１１１，Ｓ１１２におけるＡ／Ｄ変換は、各出力電圧値（アナログデータ）を検出レベルに対応したデジタルデータに変換するという、通常行われているＡ／Ｄ変換技術が適用される。
【００３２】
一方、光源測光用センサ１２を使用する場合の前記測光センサ出力Ｂｖｄ演算処理Ｓ１３のフローチャートＦ３−Ｂを図１４に示す。この測光センサ出力Ｂｖｄ演算処理Ｓ１３では、図１３（Ｆ３−Ａ）のステップＳ１１１、Ｓ１１２と同じフロー処理を実行する。その上で、光源測光用センサ１２の３つの測光エリアＡｉ（ｉ＝０〜２）の各Ａ／Ｄ変換値Ｂｖａｄ・ｗｂ〔ｉ〕もそれぞれ輝度に応じた測光値Ｂｖｄ・ｗｂ〔ｉ〕に調整する（Ｓ１１３）。なお、前記ステップＳ１１１，Ｓ１１２，Ｓ１１３におけるＡ／Ｄ変換は、各出力電圧値（アナログデータ）を検出レベルに対応したデジタルデータに変換するという、通常行われているＡ／Ｄ変換技術が適用される。
【００３３】
前記開放測光補正演算処理Ｓ１４のフローチャートＦ４を図１５に示す。前記レンズ通信処理Ｓ１２において、撮影レンズ２のレンズＲＯＭ１１から読み出して制御回路２０のＲＡＭ２７に記憶した「レンズ焦点距離」，「射出瞳位置」，「開放絞り」，「開口効率」に基づいて、開放測光補正値Ｍｎｄ１〔ｉ〕を算出する（Ｓ１２１）。この開放測光補正値Ｍｎｄ１〔ｉ〕の算出方法は、本願出願人が先に特開昭６３−２７１２３９号公報で提案しているところであるが、簡単に説明すれば、個々のカメラボディ毎の光学特性の違いと、前記「レンズ焦点距離」，「射出瞳位置」，「開放絞り」，「開口効率」のそれぞれとの違いに起因する基準測光値からのずれ量を補正するための補正値ｍｖ１，ｍｖ２，ｍｖ３，ｍｖ４をそれぞれ計算し、これらの補正値の総和ｍｖ１＋ｍｖ２＋ｍｖ３＋ｍｖ４を開放測光補正値Ｍｎｄ１〔ｉ〕とする。また、この開放測光補正値Ｍｎｄ１〔ｉ〕は、測光センサ９Ｇ，９Ｂ，９Ｒに対応して、それぞれＭｎｄ１・ｇ〔ｉ〕、Ｍｎｄ１・ｂ〔ｉ〕、Ｍｎｄ１・ｒ〔ｉ〕とする。
【００３４】
しかる上で、前記測光センサ出力Ｂｖｄ演算処理Ｓ１３で得られた測光値Ｂｖｄ〔ｉ〕に前記開放測光補正値Ｍｎｄ１〔ｉ〕を加算し、その加算結果を新たな測光値Ｂｖｄ〔ｉ〕とする。すなわち、
Ｂｖｄ〔ｉ〕＝Ｂｖｄ〔ｉ〕＋Ｍｎｄ１〔ｉ〕
の演算を行う（Ｓ１２１）。同様に、測光センサ出力Ｂｖｄ演算処理Ｓ１３で得られたＧ，Ｂ，Ｒの各測光センサの測光値Ｂｖｄ・ｇ〔ｉ〕、Ｂｖｄ・ｂ〔ｉ〕、Ｂｖｄ・ｒ〔ｉ〕に対しても、それぞれ開放測光補正値Ｍｎｄ１・ｇ〔ｉ〕、Ｍｎｄ１・ｂ〔ｉ〕、Ｍｎｄ１・ｒ〔ｉ〕を加算し、それぞれを新たな測光値とする。すなわち、
Ｂｖｄ・ｇ〔ｉ〕＝Ｂｖｄ・ｇ〔ｉ〕＋Ｍｎｄ１・ｇ〔ｉ〕
Ｂｖｄ・ｂ〔ｉ〕＝Ｂｖｄ・ｂ〔ｉ〕＋Ｍｎｄ１・ｂ〔ｉ〕
Ｂｖｄ・ｒ〔ｉ〕＝Ｂｖｄ・ｒ〔ｉ〕＋Ｍｎｄ１・ｒ〔ｉ〕
の演算を行う。この結果、各測光値はそれぞれ、撮影レンズ２とカメラボディ１との組合せによって生じる各撮影レンズ２の個体差による測光値への影響が解消された測光値となる（Ｓ１２２）。
【００３５】
前記測色処理Ｓ１５のフローチャートＦ５を図１６に示す。この測色処理Ｓ１５では、前記したように被写体の色を測色するとともに、測色した色に基づく測色補正値ＣＣ〔ｉ〕を算出する。この測色処理Ｓ１５は、測色パラメータの初期化を行った後（Ｓ３１）、被写体を照明している光源の色温度等によって測色値が相違するため、この光源の影響を無くすための補正値を得るための光源補正値演算処理Ｓ３２と、得られた光源補正値により補正処理を行う光源差補正処理Ｓ３３と、後工程の測色演算で用いるための測色パラメータを得るための測色パラメータ算出処理Ｓ３４と、測色で使用する定数を設定するための測色定数設定処理Ｓ３５と、前記各処理で得られた補正値、パラメータ、定数に基づいて各測光エリアＡ０〜Ａ５のそれぞれについて測色判定を行なう測色判定処理Ｓ３６とを順序的に実行するフローとなっている。
【００３６】
次に、前記測色処理Ｓ１５の図１６に示した前記した各処理Ｓ３２〜Ｓ３６について説明する。前記光源補正値演算処理Ｓ３２において、光源測光用センサ１２を使用しない場合のフローチャートＦ６−Ａを図１７に示す。この光源補正値演算処理Ｓ３２は測光センサ９のＢｖｄ値を基準設定する際に調整用光源（Ａ光源）を使用しているため、実際に撮影を行う光源、主に太陽光を受光した場合におけるＢｖｄ値のずれを補正するためのものである。ここでは、Ｇ（緑色）を基準にして、Ｇに対するＢ（青色）とＲ（赤色）の相対的な光源補正値を求めて光源補正を行っている。先ず、ＧＢＲについて、光源データＢｖｄ・ｌｉｇｈｔ・ｇ、Ｂｖｄ・ｌｉｇｈｔ・ｂ、Ｂｖｄ・ｌｉｇｈｔ・ｒを制御回路２０のＥＥＰＲＯＭ２６から読み込む（Ｓ１４１）。ついで、Ｇを基準としたときのＢ用の測光センサ９Ｂの光源調整値ａｄｊ・ｓｕｎ・ｂと、同じくＲ用の測光センサ９Ｒの光源調整値ａｄｊ・ｓｕｎ・ｒをそれぞれＥＥＰＲＯＭ２６から読み出す（Ｓ１４２）。ここで、前記各光源調整値は次の通りである。
ａｄｊ・ｓｕｎ・ｂ＝＋８
ａｄｊ・ｓｕｎ・ｒ＝−４
ただし、前記した測光センサ９の調整をＡ光源ではなく、太陽光相当の光源で行った場合には、これらの光源調整値はそれぞれ「０」となる。
【００３７】
しかる上で、前記光源データと光源調整値とから、Ｂ用の測光センサ９Ｂの光源補正値ｌｉｇｈｔ・ｇｂを、
ｌｉｇｈｔ・ｇｂ＝Ｂｖｄ・ｌｉｇｈｔ・ｇ−Ｂｖｄ・ｌｉｇｈｔ・ｂ＋ａｄｊ・ｓｕｎ・ｂ
の式から求める。同様に、Ｒ用の測光センサ９Ｒの光源補正値ｌｉｇｈｔ・ｇｒを、
ｌｉｇｈｔ・ｇｒ＝Ｂｖｄ・ｌｉｇｈｔ・ｇ−Ｂｖｄ・ｌｉｇｈｔ・ｒ＋ａｄｊ・ｓｕｎ・ｒ
の式から求める。これにより、ＢとＲの各光源補正値ｌｉｇｈｔ・ｇｂ、ｌｉｇｈｔ・ｇｒが求められる（Ｓ１４３，Ｓ１４４）。
【００３８】
一方、光源測光用センサ１２を使用する場合のフローチャートＦ６−Ｂを図１８に示す。ここでは、図１７のステップＳ１４１においてＥＥＰＲＯＭ２６から読み出していた光源データＢｖｄ・ｌｉｇｈｔ・ｇ、Ｂｖｄ・ｌｉｇｈｔ・ｂ、Ｂｖｄ・ｌｉｇｈｔ・ｒに相当する値をそれぞれ、光源測光用センサ１２から読み出している。すなわち、図１４のステップＳ１１３で得た光源測光用センサ１２の各測光エリアＡ０〜Ａ２から得られたＧＢＲについての測光値Ｂｖｄ・ｗｂ〔０〕、Ｂｖｄ・ｗｂ〔１〕、Ｂｖｄ・ｗｂ〔２〕を取り込む（Ｓ１４１Ａ）。次いで、Ｇを基準としたときのＢ用の測光センサ９Ｂの光源調整値ａｄｊ・ｓｕｎ・ｂと、同じくＲ用の測光センサ９Ｒの光源調整値ａｄｊ・ｓｕｎ・ｒをそれぞれＥＥＰＲＯＭ２６から読み出す（Ｓ１４２）。ここで、前記各光源調整値の例は、図１７の場合と同様に、
ａｄｊ・ｓｕｎ・ｂ＝＋８
ａｄｊ・ｓｕｎ・ｒ＝−４
ただし、前記した測光センサ９の調整をＡ光源ではなく、太陽光相当の光源で行った場合には、これらの光源調整値はそれぞれ「０」となる。
【００３９】
しかる上で、前記光源データと光源調整値とから、Ｂ用の測光センサ９Ｂの光源補正値ｌｉｇｈｔ・ｇｂを、
ｌｉｇｈｔ・ｇｂ＝Ｂｖｄ・ｗｂ〔０〕−Ｂｖｄ・ｗｂ〔１〕＋ａｄｊ・ｓｕｎ・ｂ
の式から求める。同様に、Ｒ用の測光センサ９Ｒの光源補正値ｌｉｇｈｔ・ｇｒを、
ｌｉｇｈｔ・ｇｒ＝Ｂｖｄ・ｗｂ〔０〕−Ｂｖｄ・ｗｂ〔２〕＋ａｄｊ・ｓｕｎ・ｒ
の式から求める。これにより、ＢとＲの各光源補正値ｌｉｇｈｔ・ｇｂ、ｌｉｇｈｔ・ｇｒが求められる（Ｓ１４３Ａ，Ｓ１４４Ａ）。
【００４０】
前記光源差補正処理Ｓ３３のフローチャートＦ７を図１９に示す。ここでは、前記光源補正値演算処理Ｓ３２で求められたＢとＲの各光源補正値に基づいて、Ｂ用の測光センサ９Ｂと、Ｒ用の測光センサ９Ｒの各測光エリアＡ０〜Ａ５でそれぞれ測光して得られる測光値Ｂｖｄ・ｂ〔ｉ〕とＢｖｄ・ｒ〔ｉ〕（ｉ＝０〜５）について光源差補正を行う。先ず、Ｂ用の測光センサ９Ｂの各測光エリアＡ０〜Ａ５について、
Ｂｖｄ・ｂ〔ｉ〕＝Ｂｖｄ・ｂ〔ｉ〕＋ｌｉｇｈｔ・ｇｂ
を計算する（Ｓ１５１）。次いで、同様に、Ｒ用の測光センサ９Ｒの各測光エリアについて、
Ｂｖｄ・ｒ〔ｉ〕＝Ｂｖｄ・ｒ〔ｉ〕＋ｌｉｇｈｔ・ｇｒ
を計算する（Ｓ１５２）。これにより、Ｂ用とＲ用の各測光センサ９Ｂ，９Ｒの受光出力に補正が加えられることになり、Ｇ，Ｂ，Ｒ用の各測光センサ９Ｇ，９Ｂ，９Ｒの各測光出力は、太陽光に対して等しい測光特性に基準化される。
【００４１】
前記測色パラメータ算出処理Ｓ３４のフローチャーＦ８を図２０に示す。ここでは、光源差補正された各測光センサの出力から、後の処理フローでの測色判定で使用する測色パラメータを算出する。測色パラメータとして、Ｇ用の測色パラメータＧｆ〔ｉ〕、Ｂ用の測色パラメータＢｆ〔ｉ〕、Ｒ用の測色パラメータＲｆ〔ｉ〕が算出される（Ｓ１６１，Ｓ１６２，Ｓ１６３）。算出式は次の通りである。
Ｇｆ〔ｉ〕＝Ｂｖｄ・ｇ〔ｉ〕−（Ｂｖｄ・ｂ〔ｉ〕＋Ｂｖｄ・ｒ〔ｉ〕）／２
Ｂｆ〔ｉ〕＝Ｂｖｄ・ｂ〔ｉ〕−（Ｂｖｄ・ｇ〔ｉ〕＋Ｂｖｄ・ｒ〔ｉ〕）／２
Ｒｆ〔ｉ〕＝Ｂｖｄ・ｒ〔ｉ〕−（Ｂｖｄ・ｂ〔ｉ〕＋Ｂｖｄ・ｇ〔ｉ〕）／２
【００４２】
前記測色定数設定処理Ｓ３５のフローチャートＦ９を図２１に示す。ここでは後の処理フローでの測色判定で使用する測色定数をＥＥＰＲＯＭ２６から読み出す。測色定数としては、測色判定用しきい値、測色判定用係数、測色補正値ＣＣ算出用係数、測色補正値ＣＣ算出用調整値である。各測色定数は次のように示される。
測色判定用しきい値：判定値・＊１〔ｉ〕
測色判定用係数：係数・＃１〔ｉ〕，係数・＃２〔ｉ〕
測色補正値ＣＣ算出用係数：ＣＣ係数・＊１〔ｉ〕
測色補正値ＣＣ算出用調整値：ＣＣ調整値・＊１〔ｉ〕
ここで、＊はｇ，ｂ，ｒ，ｍ，ｙ，ｃを示し、＃はｇ，ｂ，ｒを示している。なお、ｇは緑色、ｂは青色、ｒは赤色であることはこれまでと同様であるが、ｍはマゼンタ色、ｙは黄色、ｃはシアン色を示している。また、この処理においては、各測光センサの各測光エリアＡ０〜Ａ５のそれぞについて測色定数を設定しており、したがって、その処理フローとしては、最初にｉ＝０に設定し（Ｓ１７１）、前記各設定値をＥＥＰＲＯＭ２６から読み出した上で（Ｓ１７３〜Ｓ１７６）、ｉを１加算する演算（ｉ＝ｉ＋１）を行い（Ｓ１７７）、同様にｉ＝５に達するまで繰り返し読み出す（Ｓ１７２）。なお、この読み出した値は制御回路２０のＲＡＭ２７に記憶する。なお、前記した各測色定数の一例を図２２に示す。
【００４３】
前記測色判定処理Ｓ３６を図２３及び図２４のフローチャートＦ１０に基づいて説明する。この測色判定処理Ｓ３６では、Ｇ，Ｂ，Ｒ用の各測光センサ９Ｇ，９Ｂ，９Ｒの各対応する測光エリアＡ０〜Ａ５毎に測色を行っており、結果として各測光エリアＡ０〜Ａ５で測光した被写体の色を判定している。すなわち、図２３の左フローにおいて、ｉ＝０に設定し（Ｓ１８１）、以後ｉ＝５に達するまで（Ｓ１８２）、フローを繰り返す。ここで、色〔ｉ〕は色パラメータとし、色・ｍａｘ〔ｉ〕と色・ｍｉｎ〔ｉ〕はそれぞれ判定色パラメータとする。先ず、色パラメータ色〔ｉ〕を無色とした上で（Ｓ１８３）、Ｒｆ〔ｉ〕＜判定値・ｃ１〔ｉ〕を判断する（Ｓ１８４）。条件を満たすときには、｜Ｂｆ〔ｉ〕−Ｇｆ〔ｉ〕｜＜｜係数・ｒ１〔ｉ〕×Ｒｆ〔ｉ〕｜を判断し（Ｓ１８５）、この条件を満たすときには、色・ｍｉｎ〔ｉ〕＝Ｒｆ〔ｉ〕とする（Ｓ１８６）。また、ステップＳ１８４，Ｓ１８５でいずれも条件を満たさないときには、Ｇｆ〔ｉ〕＜判定値・ｍ１〔ｉ〕を判断する（Ｓ１８７）。条件を満たすときには、｜Ｂｆ〔ｉ〕−Ｒｆ〔ｉ〕｜＜｜係数・ｇ１〔ｉ〕×Ｇｆ〔ｉ〕｜を判断し（Ｓ１８８）、この条件を満たすときには、色・ｍｉｎ〔ｉ〕＝Ｇｆ〔ｉ〕とする（Ｓ１８９）。また、ステップＳ１８７，Ｓ１８８でいずれも条件を満たさないときには、Ｇｆ〔ｉ〕＞判定値・ｇ１〔ｉ〕を判断する（Ｓ１９０）。条件を満たすときには、｜Ｂｆ〔ｉ〕−Ｒｆ〔ｉ〕｜＜｜係数・ｇ２〔ｉ〕×Ｇｆ〔ｉ〕｜を判断し（Ｓ１９１）、この条件を満たすときには、色・ｍａｘ〔ｉ〕＝Ｇｆ〔ｉ〕とする（Ｓ１９２）。
【００４４】
さらに、図２３の右フローにおいて、ステップＳ１９０，Ｓ１９１でいずれも条件を満たさないときには、Ｂｆ〔ｉ〕＞判定値・ｂ１〔ｉ〕を判断する（Ｓ１９３）。条件を満たすときには、｜Ｇｆ〔ｉ〕−Ｒｆ〔ｉ〕｜＜｜係数・ｂ２〔ｉ〕×Ｂｆ〔ｉ〕｜を判断し（Ｓ１９４）、この条件を満たすときには、色・ｍａｘ〔ｉ〕＝Ｂｆ〔ｉ〕とする（Ｓ１９５）。また、ステップＳ１９３，Ｓ１９４でいずれも条件を満たさないときには、Ｒｆ〔ｉ〕＞判定値・ｒ１〔ｉ〕を判断する（Ｓ１９６）。条件を満たすときには、｜Ｂｆ〔ｉ〕−Ｇｆ〔ｉ〕｜＜｜係数・ｒ２〔ｉ〕×Ｒｆ〔ｉ〕｜を判断し（Ｓ１９７）、この条件を満たすときには、色・ｍａｘ〔ｉ〕＝Ｒｆ〔ｉ〕とする（Ｓ１９８）。さらに、ステップＳ１９６，Ｓ１９７でいずれも条件を満たさないときには、Ｂｆ〔ｉ〕＜判定値・ｙ１〔ｉ〕を判断する（Ｓ１９９）。条件を満たすときには、｜Ｇｆ〔ｉ〕−Ｒｆ〔ｉ〕｜＜｜係数・ｂ１〔ｉ〕×Ｂｆ〔ｉ〕｜を判断し（Ｓ２００）、この条件を満たすときには、色・ｍｉｎ〔ｉ〕＝Ｂｆ〔ｉ〕とする（Ｓ２０１）。このフローを前記したようにｉ＝０〜５まで行うことで、各測光エリアＡ０〜Ａ５についてそれぞれ色・ｍａｘ〔ｉ〕と色・ｍｉｎ〔ｉ〕が得られる。
【００４５】
そして、得られた色・ｍａｘ〔ｉ〕と色・ｍｉｎ〔ｉ〕について、図２４のフローチャートにおいて、色・ｍｉｎ〔ｉ〕＝Ｒｆ〔ｉ〕を判断し（Ｓ２０２）、条件を満たすときには、色〔ｉ〕＝シアンとする（Ｓ２０３）。条件を満たさないときには、色・ｍｉｎ〔ｉ〕＝Ｇｆ〔ｉ〕を判断し（Ｓ２０４）、条件を満たすときには、色〔ｉ〕＝マゼンタとする（Ｓ２０５）。このとき、後段の色が優先されることになり、ステップＳ２０３において色〔ｉ〕＝シアンとした場合でも、ステップＳ２０５において色〔ｉ〕＝マゼンタとしたときには、マゼンタが優先され、色をマゼンタとする。以下、同様に、色・ｍａｘ〔ｉ〕＝Ｇｆ〔ｉ〕のときには色〔ｉ〕＝緑色とし（Ｓ２０６，Ｓ２０７）、前工程でマゼンタとした場合でも、緑色が優先されることになる。さらに、同様に、色・ｍａｘ〔ｉ〕＝Ｂｆ〔ｉ〕のときには色〔ｉ〕＝青色とし（Ｓ２０８，Ｓ２０９）、色・ｍａｘ〔ｉ〕＝Ｒｆ〔ｉ〕のときには色〔ｉ〕＝赤色とし（Ｓ２１０，Ｓ２１１）、色・ｍｉｎ〔ｉ〕＝Ｂｆ〔ｉ〕のときには黄色とする（Ｓ２１２，Ｓ２１３）。結果として、黄色が最も優先されることになるが、これよりも前フローではフロー中における条件を満たす最終の色が当該測光エリアの色として判定されることになる。このフローについても、ｉ＝０〜５まで繰り返すことで（Ｓ２１４）、各測光エリアＡ０〜Ａ５の色がそれぞれ判定される。
【００４６】
次いで、図１１のゼネラルフローＦ１における前記測色補正値演算処理Ｓ１６は、判定された各測光エリアＡ０〜Ａ５の色に基づいて、各測光エリアＡ０〜Ａ５毎の被写体色の相違による測色補正値ＣＣ〔ｉ〕を演算するものであり、図２５にフローチャートＦ１１を示す。ここでは、測色補正値ＣＣ〔ｉ〕を予め設定した値を選択する場合を示している。すなわち、ｉ＝０に設定し（Ｓ２２１）、以後ｉ＝５に達するまで、フローを繰り返す（Ｓ２２２）。先ず、色〔ｉ〕＝無色であるかを判断し（Ｓ２２３）、条件を満たすときにはＣＣ〔ｉ〕＝０とする（Ｓ２２４）。条件を満たさないときには、色〔ｉ〕＝シアンであるかを判断し（Ｓ２２５）、条件を満たすときにはＣＣ〔ｉ〕＝Ｃとする（Ｓ２２６）。シアンでないときには、色〔ｉ〕＝マゼンタであるかを判断し（Ｓ２２７）、条件を満たすときにはＣＣ〔ｉ〕＝Ｍとする（Ｓ２２８）。同様にして、色〔ｉ〕がいずれの色であるかを順次判断し（Ｓ２２９，Ｓ２３１，Ｓ２３３，Ｓ２３５）、色〔ｉ〕が緑色のときにはＣＣ〔ｉ〕＝Ｇとし（Ｓ２３０）、色〔ｉ〕が青色のときにはＣＣ〔ｉ〕＝Ｂとし（Ｓ２３２）、色〔ｉ〕が赤色のときにはＣＣ〔ｉ〕＝Ｒとし（Ｓ２３４）、色〔ｉ〕が黄色のときにはＣＣ〔ｉ〕＝Ｙとする（Ｓ２３６）。しかる後、ｉを１加算し（Ｓ２３７）、このフローをｉ＝０〜５まで繰り返すことで、各測光エリアＡ０〜Ａ５における測色補正値ＣＣ〔ｉ〕がそれぞれ演算される。
【００４７】
そして、このようにして得られたＹ，Ｍ，Ｂ，Ｃ，Ｂ，Ｇ，Ｒの各値を、図２６に示すようにＹ，Ｍ，Ｃ，Ｂ，Ｇ，Ｒにそれぞれ対応させることで、測色補正値ＣＣ〔ｉ〕を得ることができる。
【００４８】
一方、前記測色補正値演算処理Ｓ１６として、図２７のフローチャートＦ１２に示すように、演算により測色補正値ＣＣ〔ｉ〕を求めてもよい。このフローチャートＦ１２は、先の図２５のフローチャートＦ１１と共通するフローを有しており、ここでは、フローチャートＦ１１のステップＳ２２６，Ｓ２２８，Ｓ２３０，Ｓ２３２，Ｓ２３４，Ｓ２３６では、測色補正値ＣＣ〔ｉ〕を決定する際に、それぞれＣＣ〔ｉ〕を前工程までに得られたパラメータや図２２に示した設定値等に基づいて演算により求めている。すなわち、ステップＳ２４１では、色〔ｉ〕＝シアンと判断されたときには、測色補正値ＣＣ〔ｉ〕を次のように演算する。
ＣＣ〔ｉ〕＝ＣＣ係数・ｃ１〔ｉ〕×（Ｒｆ〔ｉ〕−判定値・ｃ１〔ｉ〕）＋ＣＣ調整値・ｃ１〔ｉ〕
同様に、色〔ｉ〕＝マゼンタと判断されたときには、Ｓ２４２において、
ＣＣ〔ｉ〕＝ＣＣ係数・ｍ１〔ｉ〕×（Ｇｆ〔ｉ〕−判定値・ｍ１〔ｉ〕）＋ＣＣ調整値・ｍ１〔ｉ〕
色〔ｉ〕＝緑色と判断されたときには、Ｓ２４３において、
ＣＣ〔ｉ〕＝ＣＣ係数・ｇ１〔ｉ〕×（Ｇｆ〔ｉ〕−判定値・ｇ１〔ｉ〕）＋ＣＣ調整値・ｇ１〔ｉ〕
色〔ｉ〕＝青色と判断されたときには、Ｓ２４４において、
ＣＣ〔ｉ〕＝ＣＣ係数・ｂ１〔ｉ〕×（Ｂｆ〔ｉ〕−判定値・ｂ１〔ｉ〕）＋ＣＣ調整値・ｂ１〔ｉ〕
色〔ｉ〕＝赤色と判断されたときには、Ｓ２４５において、
ＣＣ〔ｉ〕＝ＣＣ係数・ｒ１〔ｉ〕×（Ｒｆ〔ｉ〕−判定値・ｒ１〔ｉ〕）＋ＣＣ調整値・ｒ１〔ｉ〕
色〔ｉ〕＝黄色と判断されたときには、Ｓ２４６において、
ＣＣ〔ｉ〕＝ＣＣ係数・ｙ１〔ｉ〕×（Ｂｆ〔ｉ〕−判定値・ｙ１〔ｉ〕）＋ＣＣ調整値・ｙ１〔ｉ〕
このフローをｉ＝０〜５まで繰り返すことで（Ｓ２３７）、各測光エリアＡ０〜Ａ５における測色補正値ＣＣ〔ｉ〕がそれぞれ演算される。
【００４９】
その上で、ゼネラルフローチャートＦ１に示した前記露出値（Ｌｖｄ）演算処理Ｓ１７を行う。この露出値演算処理Ｓ１７のフローチャートＦ１３を図２８に示す。この処理Ｓ１７では、前記測光センサ出力Ｂｖｄ演算処理Ｓ１３で得られ、前記開放測光補正演算処理Ｓ１４で補正された定常光用測光センサ９Ｄの各測光エリアＡ０〜Ａ５の各測光値Ｂｖｄ〔ｉ〕に対し、実際に撮影を行う際の条件によって測光値を補正し、この補正により適正な露出値Ｌｖｄを得るための処理である。ここでは、測光エリアＡ０〜Ａ５の各測光値Ｂｖｄ〔ｉ〕を相互に比較し、あるいは総体的に検出することで、撮影する状態が、逆光撮影、夕暮れ撮影、夜景撮影等のいずれの状態の蓋然性が高いものであるかを判定し、その判定結果に基づいて各測光値Ｂｖｄ〔ｉ〕に対して重み付けを行い、あるいは一つの測光値のみを採用する等の手法により、当該撮影状態に好適な露出値Ｌｖｄとして演算する処理である。
【００５０】
先ず、測色補正測光値演算Ｓ１３１において、前記各測光エリアＡ０〜Ａ５の前記した各測光値Ｂｖｄ〔ｉ〕に対して、前記各測光エリアＡ０〜Ａ５の各測色結果から得られたそれぞれの測色補正値ＣＣ〔ｉ〕を加算し、各測光エリアＡ０〜Ａ５毎の測色補正された測色補正測光値Ｂｖｄ〔ｉ〕を得る。
Ｂｖｄ〔ｉ〕＝Ｂｖｄ〔ｉ〕＋ＣＣ〔ｉ〕
その上で、測光モード切替スイッチ２９の設定を読み込み、測光モードフラグを設定する（Ｓ１３２）。次いで、露出値決定演算処理Ｓ１３３において、前記測光モードフラグに基づいて露出値Ｌｖｄを決定するための演算を行う。
【００５１】
前記露出値決定演算処理Ｓ１３３は、図２９にフローチャートＦ１４を示すように、測光モードフラグをチェックして、測光モード切替スイッチ２８により設定されている測光モードを検出した上で（Ｓ３０１）、測光エリアＡ０〜Ａ５の各測色補正測光値Ｂｖｄ〔ｉ〕から、分割測光Ｌｖｄ算出Ｓ３０２、平均測光Ｌｖｄ算出Ｓ３０３、中央重点測光Ｌｖｄ算出Ｓ３０４、スポット測光Ｌｖｄ算出Ｓ３０５によってカメラとしての露出値Ｌｖｄを算出する。
【００５２】
前記分割測光Ｌｖｄ算出Ｓ３０２では、前処理までに得られた測色補正測光値Ｂｖｄ〔ｉ〕に基づき、任意のアルゴリズムにより露出値Ｌｖｄを演算する。すなわち、図３０にフローチャートＦ１５を示すように、先ず、定常光用測光センサ９Ｄの各測光エリアＡ０〜Ａ５の各測色補正測光値演算後の測色補正測光値Ｂｖｄ〔ｉ〕から、露出値Ｌｖｄ演算用のパラメータを算出する（Ｓ３１１）。次いで、パラメータの高輝度リミットＳ３１２、逆光判定Ｓ３１３、重み付けパラメータ算出Ｓ３１４、撮影倍率チェックＳ３１５、撮影シーン判定Ｓ３１６、撮影シーン高輝度時プラス補正Ｓ３１７についてそれぞれの補正を実行する。この結果、前記アルゴリズムに基づいてＬｖｄが決定される（Ｓ３１８）。
【００５３】
また、平均測光Ｌｖｄ算出Ｓ３０３は、図２９に示したように、測光エリアＡ０〜Ａ５の各測色補正測光値Ｂｖｄ〔ｉ〕の単純平均から露出値Ｌｖｄを演算するものであり、
Ｌｖｄ＝（Ｂｖｄ〔０〕＋Ｂｖｄ〔１〕＋Ｂｖｄ〔２〕＋Ｂｖｄ〔３〕＋Ｂｖｄ〔４〕＋Ｂｖｄ〔５〕）÷６
で求められる。
【００５４】
また、中央重点測光Ｌｖｄ算出Ｓ３０４は、画面の中央領域の重み付けを大きくする処理であり、
Ｌｖｄ＝［（Ｂｖｄ〔０〕×４）＋Ｂｖｄ〔５〕＋（Ｂｖｄ〔１〕＋Ｂｖｄ〔２〕＋Ｂｖｄ〔３〕＋Ｂｖｄ〔４〕）×３÷４］÷８
で求められる。
【００５５】
さらに、スポット測光Ｌｖｄ算出Ｓ３０５においては、測色補正測光値Ｂｖｄ〔ｉ〕のうち、最も大きな値のものを選択して露出値Ｌｖｄとする最大値測光がある。すなわち、
Ｌｖｄ＝ｍａｘ（Ｂｖｄ〔０〕，Ｂｖｄ〔１〕，Ｂｖｄ〔２〕，Ｂｖｄ〔３〕，Ｂｖｄ〔４〕，Ｂｖｄ〔５〕）
である。あるいは、画面の中央の測光エリアＡ０の測光値をそのまま露出値Ｌｖｄとしてもよい。
Ｌｖｄ＝Ｂｖｄ〔０〕
【００５６】
しかる上で、得られた露出Ｌｖｄに基づくＴｖｄ，Ａｖｄ演算処理Ｓ１８のフローチャートＦ１６を図３１に示す。先ず、前工程で演算されたＬｖｄを、予め設定されているプログラム線図に適用し、シャッター速度Ｔｖｄを優先設定する（Ｓ３２１）。次いで、前記Ｌｖｄと、設定されたＴｖｄから、絞り値Ａｖｄを決定する。すなわち、Ａｖｄ＝Ｌｖｄ−Ｔｖｄのアペックス演算により決定する（Ｓ３２２）。次いで、ストロボ撮影が必要か否かを判定する（Ｓ３２３）。ここでは、例えば、シャッター速度Ｔｖｄが手振れの生じ易い速度よりも低速の場合にストロボ撮影とする。あるいは、測光エリアＡ０とＡ５のＢｖｄの値を比較し、両者の差が顕著な場合に逆光撮影であるとしてストロボ撮影としてもよい。そして、ストロボ撮影の場合にはストロボ発光フラグを「１」とし（Ｓ３２４）、ストロボ撮影でない場合にはストロボ発光フラグを「０」とする（Ｓ３２５  ）。
【００５７】
そして、前記したように、ゼネラルフローＦ１のステップＳ２１で、ストロボ発光フラグを判定し、同フラグが「０」でストロボ撮影を行わない場合には、露出制御装置２３において、前記したように演算されたシャッター速度Ｔｖｄと絞り値Ａｖｄに基づいて、カメラの露出制御を行うことにより、被写体の色の違い、換言すれば被写体の反射率の違いにかかわらず、反射率の影響を低減し、適正露出での撮影が可能となる。特に、測色測光手段の測光出力により被写体の色として黄色を判定したときには露出補正量を露出オーバ方向に決定し、青色または赤色を判定したときには露出補正量を露出アンダー方向に決定することで、従来において特に顕著な問題となっていたこれらの色間の反射率の違いによる露出誤差を解消することが可能となる。
【００５８】
一方、ストロボ発光フラグが「１」で、ストロボ撮影を行う場合には、ストロボプリ発光処理Ｓ２２を行う。このストロボプリ発光処理Ｓ２２は、図３２にフローチャートＦ１７を示すように、レリーズＳＷのオンを受けて、オートストロボをプリ発光する（Ｓ３３１）。次いで、ＢＧＲ用の各測光センサ９Ｂ，９Ｇ，９Ｒでの測光値のＡ／Ｄ変換の開始タイミング調整を行うために所定の時間待機する（Ｓ３３２）。
【００５９】
次いで、測色センサ出力演算処理Ｓ２３は、図３３にフローチャートＦ１８を示すように、ＧＢＲ用の各測光センサ９Ｇ，９Ｂ，９Ｒの出力のＡ／Ｄ変換を行う（Ｓ３４１）。これは、図１３及び図１４のフローチャートＦ３−Ａ，Ｆ３−ＢのステップＳ１１２と同様である。
【００６０】
また、測色センサ開放測光補正演算処理Ｓ２４は、図３４にフローチャートＦ１９を示すように、前記開放測光補正演算処理Ｓ１４で得られた開放測光補正値Ｍｎｄ１・ｇ〔ｉ〕，Ｍｎｄ１・ｂ〔ｉ〕，Ｍｎｄ１・ｒ〔ｉ〕を使用し、前記測色センサ出力演算処理Ｓ２３で得られた測光値Ｂｖｄ・ｇ〔ｉ〕，Ｂｖｄ・ｂ〔ｉ〕，Ｂｖｄ・ｒ〔ｉ〕に前記開放測光補正値Ｍｎｄ１・ｇ〔ｉ〕，Ｍｎｄ１・ｂ〔ｉ〕，Ｍｎｄ１・ｒ〔ｉ〕を加算し、その加算結果を新たな測光値Ｂｖｄ・ｇ〔ｉ〕，Ｂｖｄ・ｂ〔ｉ〕，Ｂｖｄ・ｒ〔ｉ〕とする。すなわち、
Ｂｖｄ・ｇ〔ｉ〕＝Ｂｖｄ・ｇ〔ｉ〕＋Ｍｎｄ１・ｇ〔ｉ〕
Ｂｖｄ・ｂ〔ｉ〕＝Ｂｖｄ・ｂ〔ｉ〕＋Ｍｎｄ１・ｂ〔ｉ〕
Ｂｖｄ・ｒ〔ｉ〕＝Ｂｖｄ・ｒ〔ｉ〕＋Ｍｎｄ１・ｒ〔ｉ〕
の演算を行う。この結果、各測光値はそれぞれ、撮影レンズ２とカメラボディ１との組合せによって生じる各撮影レンズ２の個体差による測光値への影響が解消された測光値となる（Ｓ３５１）。
【００６１】
次いで、ストロボプリ発光測色処理Ｓ２５は、図３５にフローチャートＦ２０を示すように、測色パラメータの初期化を行った後（Ｓ３１）、ストロボプリ発光したストロボ光に対する光源補正値演算処理Ｓ３２Ａと、得られた光源補正値により補正処理を行う光源差補正処理Ｓ３３と、後工程の測色演算で用いるための測色パラメータを得るための測色パラメータ算出処理Ｓ３４と、測色で使用する定数を設定するための測色定数設定処理Ｓ３５と、前記各処理で得られた補正値、パラメータ、定数に基づいて測色判定を行なう測色判定処理Ｓ３６とを順序的に実行するフローとなっている。ここで、前記ストロボプリ発光光源補正値演算処理Ｓ３２Ａ以外の処理Ｓ３１，Ｓ３３，Ｓ３４，Ｓ３５，Ｓ３６は、図１６に示した測色のフローチャートＦ５の各対応する処理と同じであるので説明は省略する。
【００６２】
前記ストロボプリ発光光源補正値演算処理Ｓ３２Ａにおいて、光源測光用センサ１２を使用しない場合は、図３６のフローチャートＦ２１−Ａであり、光源測光用センサ１２を使用する場合は、図３７のフローチャートＦ２１−Ｂである。なお、これらの処理は、図１７，図１８に示したフローチャートＦ６−Ａ，Ｆ６−Ｂに対応するものである。すなわち、図３６のフローチャートＦ２１−Ａでは、先ず、ＧＢＲについて、プリ発光したストロボ光の光源データＢｖｄ・ｌｉｇｈｔ・ｇ、Ｂｖｄ・ｌｉｇｈｔ・ｂ、Ｂｖｄ・ｌｉｇｈｔ・ｒをＥＥＰＲＯＭ２６から読み込む（Ｓ１４１）。これは、自分のストロボであるため光源の分光特性は既知のデータとして得ることができ、光源測光用センサを用いて測光を行う必要がなく、予めＥＥＰＲＯＭに前記光源データを記憶しておくことが可能であることによる。しかる上で、前記光源データから、Ｂ用の測光センサ９Ｂの光源補正値ｌｉｇｈｔ・ｇｂを、
ｌｉｇｈｔ・ｇｂ＝Ｂｖｄ・ｌｉｇｈｔ・ｇ−Ｂｖｄ・ｌｉｇｈｔ・ｂ
の式から求める。同様に、Ｒ用の測光センサ９Ｒの光源補正値ｌｉｇｈｔ・ｇｒを、
ｌｉｇｈｔ・ｇｒ＝Ｂｖｄ・ｌｉｇｈｔ・ｇ−Ｂｖｄ・ｌｉｇｈｔ・ｒ
の式から求める。これにより、ＢとＲの各光源補正値ｌｉｇｈｔ・ｇｂ、ｌｉｇｈｔ・ｇｒが求められる（Ｓ１４３Ｂ，Ｓ１４４Ｂ）。
【００６３】
一方、光源測光用センサ１２を使用する場合には、図３７のフローチャートＦ２１−Ｂのように、最初に、この処理以前に得ていた光源測光用センサ１２から出力される光源データを破棄する（Ｓ１４５）。しかる上で、図３６のフローチャートＦ２１−Ｂの場合と全く同様に処理Ｓ１４３Ｂ，Ｓ１４４Ｂを行う。このように、光源測光用センサ１２からの光源データを破棄することで、光源測光用センサ１２を使用しない場合と使用する場合とで、全く同じ光源補正値が得られるようにするものである。
【００６４】
次いで、ゼネラルフローＦ１における前記反射影響補正値演算処理Ｓ２６は、判定された各測光エリアＡ０〜Ａ５の色に基づいて、各測光エリアＡ０〜Ａ５毎の被写体色の相違による反射影響補正値ＲＣＣ〔ｉ〕を演算するものであり、図３８にフローチャートＦ２２を示す。すなわち、ｉ＝０に設定し（Ｓ４２１）、以後ｉ＝５に達するまで、フローを繰り返す（Ｓ４２２）。先ず、色〔ｉ〕＝無色であるかを判断し（Ｓ４２３）、条件を満たすときには反射影響補正値ＲＣＣ〔ｉ〕＝０とする（Ｓ４２４）。条件を満たさないときには、色〔ｉ〕＝シアンであるかを判断し（Ｓ４２５）、色〔ｉ〕＝シアンと判断されたときには、ステップＳ４２６において、反射影響補正値ＲＣＣ〔ｉ〕を次のように演算する。
ＲＣＣ〔ｉ〕＝ＣＣ係数・ｃ１〔ｉ〕×（Ｒｆ〔ｉ〕−判定値・ｃ１〔ｉ〕）＋ＣＣ調整値・ｃ１〔ｉ〕
ここで、ＣＣ係数、ＣＣ調整値、判定値等の定数は、測色定数設定処理Ｓ３５で設定された測色補正値のＣＣ係数、ＣＣ調整値、判定値をそのまま利用している。以下、同様である。
【００６５】
また、シアンでないときには、色〔ｉ〕＝マゼンタであるかを判断し（Ｓ４２７）、色〔ｉ〕＝マゼンタと判断されたときには、ステップＳ４２８において、反射影響補正値ＲＣＣ〔ｉ〕を次のように演算する。
ＲＣＣ〔ｉ〕＝ＣＣ係数・ｍ１〔ｉ〕×（Ｇｆ〔ｉ〕−判定値・ｍ１〔ｉ〕）＋ＣＣ調整値・ｍ１〔ｉ〕
マゼンタでないときには、色〔ｉ〕＝緑であるかを判断し（Ｓ４２９）、色〔ｉ〕＝緑と判断されたときには、ステップＳ４３０において、反射影響補正値ＲＣＣ〔ｉ〕を次のように演算する。
ＲＣＣ〔ｉ〕＝ＣＣ係数・ｇ１〔ｉ〕×（Ｇｆ〔ｉ〕−判定値・ｇ１〔ｉ〕）＋ＣＣ調整値・ｇ１〔ｉ〕
緑でないときには、色〔ｉ〕＝青であるかを判断し（Ｓ４３１）、色〔ｉ〕＝青と判断されたときには、ステップＳ４３２において、反射影響補正値ＲＣＣ〔ｉ〕を次のように演算する。
ＲＣＣ〔ｉ〕＝ＣＣ係数・ｂ１〔ｉ〕×（Ｂｆ〔ｉ〕−判定値・ｂ１〔ｉ〕）＋ＣＣ調整値・ｂ１〔ｉ〕
青でないときには、色〔ｉ〕＝赤であるかを判断し（Ｓ４３３）、色〔ｉ〕＝赤と判断されたときには、ステップＳ４３４において、反射影響補正値ＲＣＣ〔ｉ〕を次のように演算する。
ＲＣＣ〔ｉ〕＝ＣＣ係数・ｒ１〔ｉ〕×（Ｒｆ〔ｉ〕−判定値・ｒ１〔ｉ〕）＋ＣＣ調整値・ｒ１〔ｉ〕
赤でないときには、色〔ｉ〕＝黄であるかを判断し（Ｓ４３５）、色〔ｉ〕＝黄と判断されたときには、ステップＳ４３６において、反射影響補正値ＲＣＣ〔ｉ〕を次のように演算する。
ＲＣＣ〔ｉ〕＝ＣＣ係数・ｙ１〔ｉ〕×（Ｂｆ〔ｉ〕−判定値・ｙ１〔ｉ〕）＋ＣＣ調整値・ｙ１〔ｉ〕
このフローをｉ＝０〜５まで繰り返すことで（Ｓ４３７）、各測光エリアＡ０〜Ａ５における各反射影響補正値ＲＣＣ〔ｉ〕がそれぞれ演算される。
【００６６】
さらに、測光エリアＡ５における反射影響補正値ＲＣＣの判定が終了した後は、ｉ＝６となり、Ｓ４３７からＳ４２２に進むと、Ｓ４２２での判定がＮＯとなるので、得られた反射影響補正値ＲＣＣ〔ｉ〕に基づいて、総体値としての反射影響補正値ＲＣＣを得るための前記ＲＣＣ演算処理Ｓ２７を行う。このＲＣＣ演算処理Ｓ２７は、図３９にフローチャートＦ２３を示すように、各測光エリアＡ０〜Ａ５の各反射影響補正値ＲＣＣ〔ｉ〕を、例えば、単純平均、中央重点、最大値等の演算を行うことで（Ｓ４５１）、反射影響補正値ＲＣＣを得るものである。すなわち、単純平均は、各測光エリアのＲＣＣ〔ｉ〕を単純平均するものであり、
ＲＣＣ＝（ＲＣＣ〔０〕＋ＲＣＣ〔１〕＋ＲＣＣ〔２〕＋ＲＣＣ〔３〕＋ＲＣＣ〔４〕＋ＲＣＣ〔５〕）÷６
で求められる。また、中央重点は、画面の中央領域、すなわち測光エリアＡ０の重み付けを大きくする処理であり、
ＲＣＣ＝（ＲＣＣ〔０〕×４＋ＲＣＣ〔５〕＋（ＲＣＣ〔１〕＋ＲＣＣ〔２〕＋ＲＣＣ〔３〕＋ＲＣＣ〔４〕）×３／４）÷８
で求められる。この場合、画面の中央の測光エリアＡ０のＲＣＣ〔ｉ〕をそのままＲＣＣとしてもよい。
ＲＣＣ＝ＲＣＣ〔０〕
さらに、最大値は、ＲＣＣ〔ｉ〕のうち、最も大きな値のものを選択するものであり、
ＲＣＣ＝ｍａｘ（ＲＣＣ〔０〕，ＲＣＣ〔１〕，ＲＣＣ〔２〕，ＲＣＣ〔３〕，ＲＣＣ〔４〕，ＲＣＣ〔５〕）
である。
【００６７】
なお、前記中央重点においては、図４（ｂ）に示した測光エリアＡ０〜Ａ５のうち、マルチ測距装置８で測距を行う複数の測距点、ここでは３つの測距点Ｐ０，Ｐ１，Ｐ２が存在する測光エリアＡ０，Ａ１，Ａ２のＲＣＣ〔ｉ〕の重み付けを大きくした演算、あるいはいずれかの反射影響補正値ＲＣＣ〔ｉ〕を選択するようにしてもよく、焦点が合致された被写体領域に対して適正化された反射影響補正値を得ることも可能である。
【００６８】
次いで、オートストロボ２８での発光に際しては、前記ＲＣＣ演算処理Ｓ２７により得られた反射影響補正値ＲＣＣにより、オートストロボ２８のストロボ制御レベルＳＸＶＤを補正するための制御レベル調整処理Ｓ２８を行う。この制御レベル調整処理Ｓ２８は、図４０にフローチャートＦ２４を示すように、ストロボ光撮影に際し、オートストロボ２８におけるＴＴＬ基準電圧Ｖｔｔｌを設定するためのＤ／Ａ変換回路１０２の変換係数であるストロボ制御レベルＳＸＶＤを決定する（Ｓ４６１）。このストロボ制御レベルＳＸＶＤの決定に際しては、フィルム感度に基づいて第２スイッチＳＷ２をオン、またはオフ設定することは言うまでもない。しかる上で、決定されたストロボ制御レベルＳＸＶＤを、前記ＲＣＣ演算処理Ｓ２７で決定された反射影響補正値ＲＣＣにより補正する。すなわち、
ＳＸＶＤ←ＳＸＶＤ＋ＲＣＣ
の演算を行う（Ｓ４６２）。
【００６９】
したがって、レリーズスイッチＳＷＲがオンされて、露出制御装置２３により、ストロボ発光露出制御処理Ｓ２９においてオートストロボ２８によるストロボ撮影が行われると、オートストロボ２８は、補正されたストロボ制御レベルＳＸＶＤに基づいて設定されるＴＴＬ基準電圧Ｖｔｔｌにより、ストロボ発光量が制御されることになる。すなわち、撮影に用いるストロボ光をプリ発光して被写体の測色を行った上で、その測色結果に基づいてストロボ発光量を制御してストロボ撮影を実行することになる。
【００７０】
このように、ストロボ撮影での適正露光量を判定する際の基準となるＴＴＬ基準電圧を設定するためのストロボ制御レベルＳＸＶＤを、被写体の色に対応して調整することにより、被写体の色の違い、換言すれば被写体の反射率の違いにかかわらず、適正露出でのストロボ撮影が可能となる。特に、測色測光手段の測光出力により被写体の色として黄色を判定したときには、ストロボ制御レベルを露出オーバ方向になるように調整し、青色または赤色を判定したときにはストロボ制御レベルを露出アンダー方向になるように調整することで、従来において特に顕著な問題となっていたこれらの色間の反射率の違いによる露出誤差を解消することが可能になる。また、この場合、実際にストロボ撮影を行うストロボ光をプリ発光して被写体の色を測色しているので、先に提案しているように測色に用いる光とストロボ光との演色性の違いによる露出誤差が生じることがなく、ストロボ制御レベルＳＸＶＤを適正な値に調整でき、適正露出でのストロボ撮影が実現できる。さらに、測色用の各測光センサの各測光面を複数の測光エリアに分割し、これらの分割した各測光エリア毎に測色を行った上で判定レベルの調整を行うことにより、被写体の色が一の色に偏っている場合、あるいは多色で構成される場合のいずれの場合でも適正な露出値の決定が可能となる。
【００７１】
なお、前記実施形態では、定常光用測光センサ９ＤをＧ，Ｂ，Ｒ用の各測光センサ９Ｇ，９Ｂ，９Ｒとは別に独立した測光センサとして設けているが、Ｇ用の測光センサ９Ｇの受光特性は５４０ｎｍ近傍にピークを有しており、視感度分布特性に近い定常光用測光センサ９Ｄの特性に近いので、図３（ｂ）に示すように、定常光用測光センサ９ＤをＧ用の測光センサ９Ｇで兼用してもよい。この場合には、図１０に示したゼネラルフローの処理Ｓ１１〜Ｓ１４については、Ｇ用の測光センサ９Ｇの測光出力Ｂｖａｄ・ｇをＢｖａｄに置き換えて演算を行えばよい。このように、定常光用測光センサ９ＤをＧ用の測光センサ９Ｇで構成することにより、装置全体を３つの測光センサで構成することが可能となり、ペンタプリズムの接眼光学系側に配置する測光センサの数を図３（ａ）の構成の場合に比較して１個低減することができ、コストの低減が図れるとともに、測光センサの配置スペースを低減してカメラボディの小型化が可能となる。
【００７２】
【発明の効果】
以上説明したように本発明は、ストロボプリ発光するストロボ撮影時には予め設定された当該ストロボ光の分光特性の光源データに基づいて測色及び露出レベルの補正を行うことで適正な撮影が実現できる。特に、ストロボ撮影においては、ストロボ撮影での適正露光量を判定する際の基準となるＴＴＬ基準電圧を設定するためのストロボ制御レベルＳＸＶＤを、被写体の色に対応して調整することにより、被写体の色の違い、換言すれば被写体の反射率の違いにかかわらず、適正露出でのストロボ撮影が可能となる。特に、測色測光手段の測光出力により被写体の色として黄色を判定したときには、ストロボ制御レベルを露出オーバ方向になるように調整し、青色または赤色を判定したときにはストロボ制御レベルを露出アンダー方向になるように調整することで、従来において特に顕著な問題となっていたこれらの色間の反射率の違いによる露出誤差を解消することが可能になる。
【００７３】
また、本発明においては、実際にストロボ撮影を行うストロボ光について最適な露光量を得るための光源データを予め設定しておくことで、光源の分光特性を測光するための光源測光手段を不要にすることもできる。また、測色に用いる光とストロボ光との演色性の違いによる露出誤差が生じることがなく、また、異なる演色性のストロボ光のストロボを用いてストロボ撮影を行う場合でも、ストロボ制御レベルを適正な値に調整でき、適正露出でのストロボ撮影が実現できる。
【００７４】
さらに、本発明は、既存のストロボ光制御装置に対して、ストロボ制御レベルを調整するための手段を付加するのみでよいので、既存のストロボ光制御装置の構成を変更することなく本発明が実現でき、既存のカメラへの適用も可能になる。
【図面の簡単な説明】
【図１】本発明のストロボ光制御装置を備える測光装置を装備した一眼レフカメラの模式的な斜視図である。
【図２】図１のカメラの要部の側面構成図である。
【図３】ペンタプリズムを背面側から見た測光センサの配置状態を示す図である。
【図４】測光センサの分割した測光エリアを示す図である。
【図５】測光センサの分光感度特性を示す図である。
【図６】図１のカメラの回路構成の概略ブロック図である。
【図７】ストロボ光制御装置の要部の回路図である。
【図８】ストロボ光制御装置の動作を説明するためのタイミング図である。
【図９】ストロボ制御レベルとＴＴＬ基準電圧との関係を示すテーブル図である。
【図１０】本発明のストロボ光制御装置を備える測光装置を含むカメラの撮影動作の全体フローを示す一覧表である。
【図１１】本発明のストロボ光制御装置を備える測光装置を含むカメラの撮影動作のゼネラルフローチャートである。
【図１２】レンズ通信処理のフローチャートである。
【図１３】光源測光用センサを使用しない測光センサ出力Ｂｖｄ演算処理のフローチャートである。
【図１４】光源測光用センサを使用する測光センサ出力Ｂｖｄ演算処理のフローチャートである。
【図１５】開放測光補正演算処理のフローチャートである。
【図１６】測色処理のフローチャートである。
【図１７】光源測光用センサを使用しない光源補正値演算処理のフローチャートである。
【図１８】光源測光用センサを使用する光源補正値演算処理のフローチャートである。
【図１９】光源差補正処理のフローチャートである。
【図２０】測色パラメータ算出処理のフローチャートである。
【図２１】測色定数設定処理のフローチャートである。
【図２２】測色定数の一例を示す図である。
【図２３】測色判定処理のフローチャートのその１である。
【図２４】測色判定処理のフローチャートのその２である。
【図２５】測色補正値演算処理のフローチャートである。
【図２６】測色補正値の一例を示す図である。
【図２７】測色補正値演算処理の他のフローチャートである。
【図２８】露出値Ｌｖｄ演算処理のフローチャートである。
【図２９】露出値決定演算処理のフローチャートである。
【図３０】分割測光Ｌｖｄ算出処理のフローチャートである。
【図３１】Ｔｖｄ，Ａｖｄ演算処理のフローチャートである。
【図３２】ストロボプリ発光処理のフローチャートである。
【図３３】測色センサ出力演算処理のフローチャートである。
【図３４】測色センサ開放測光補正演算処理のフローチャートである。
【図３５】ストロボプリ発光測色処理のフローチャートである。
【図３６】光源測光用センサを使用しないストロボプリ発光光源補正値演算処理のフローチャートである。
【図３７】光源測光用センサを使用するストロボプリ発光光源補正値演算処理のフローチャートである。
【図３８】反射影響補正値演算処理のフローチャートである。
【図３９】反射影響補正値演算処理におけるＲＣＣ演算のフローチャートである。
【図４０】制御レベル調整処理のフローチャートである。
【符号の説明】
１  カメラボディ
２  撮影レンズ
５  ペンタプリズム
６  接眼光学系
８  マルチ測距装置
９  測光センサ
９Ｄ  定常光用測光センサ
９Ｇ  緑用測光センサ
９Ｂ  青用測光センサ
９Ｒ  赤用測光センサ
１１  レンズＲＯＭ
１２  光源測光用センサ
２０  制御回路
２３  露出制御装置
２６  ＥＥＰＲＯＭ
２７  ＲＡＭ
２８  オートストロボ
２９  測光モード切替スイッチ
Ａ０〜Ａ５  測光エリア
１００  ＴＴＬ積分回路
１０１  充電回路
１０２  Ｄ／Ａ変換回路
１０３  比較回路
２００  発光回路
Ｖｂ  充電電圧
Ｖａ  分圧電圧
Ｖｔｔｌ  ＴＴＬ基準電圧
Ｖｓ  基準電圧
ＳＷ１  第１スイッチ
ＳＷ２  第２スイッチ
【図１】
0004312975.tif 000002
【図２】
0004312975.tif 000003
【図３】
0004312975.tif 000004
【図４】
0004312975.tif 000005
【図５】
0004312975.tif 000006
【図６】
0004312975.tif 000007
【図７】
0004312975.tif 000008
【図８】
0004312975.tif 000009
【図９】
0004312975.tif 000010
【図１０】
0004312975.tif 000011
【図１１】
0004312975.tif 000012
【図１２】
0004312975.tif 000013
【図１３】
0004312975.tif 000014
【図１４】
0004312975.tif 000015
【図１５】
0004312975.tif 000016
【図１６】
0004312975.tif 000017
【図１７】
0004312975.tif 000018
【図１８】
0004312975.tif 000019
【図１９】
0004312975.tif 000020
【図２０】
0004312975.tif 000021
【図２１】
0004312975.tif 000022
【図２２】
0004312975.tif 000023
【図２３】
0004312975.tif 000024
【図２４】
0004312975.tif 000025
【図２５】
0004312975.tif 000026
【図２６】
0004312975.tif 000027
【図２７】
0004312975.tif 000028
【図２８】
0004312975.tif 000029
【図２９】
0004312975.tif 000030
【図３０】
0004312975.tif 000031
【図３１】
0004312975.tif 000032
【図３２】
0004312975.tif 000033
【図３３】
0004312975.tif 000034
【図３４】
0004312975.tif 000035
【図３５】
0004312975.tif 000036
【図３６】
0004312975.tif 000037
【図３７】
0004312975.tif 000038
【図３８】
0004312975.tif 000039
【図３９】
0004312975.tif 000040
【図４０】
0004312975.tif 000041